(57)【要約】【課題】ＩＣタグシールによる基板等の管理を行う場合に、ＩＣタグシールを生かした状態での不正行為を効果的に防止することが可能な遊技台の基板収納ケースを提供する。【解決手段】本発明に係る基板収納ケースは、遊技に関する制御を行う制御基板２１１を収納する基板収納体２１２と、基板収納体２１２に蓋をして制御基板２１１を封印する蓋体２１３と、を備える遊技台の基板収納ケース２１０であって、識別情報が記憶されると共に記憶された識別情報を所定の機器により非接触の状態で読み取ることができる読取機能が付加されたシール部材２１５を貼付するための貼付部と、貼付部に貼付されたシール部材２１５の少なくとも一部を覆うシールカバー部材２５０と、を備え、シールカバー部材２５０は、制御基板２１１の封印を解除する封印解除操作に伴ってシール部材２１５の読取機能を不能化させ、識別情報の読み取りを不可とする読取不可機構を備えている。【選択図】図３
2010178891.tif 000002
【特許請求の範囲】
【請求項１】
遊技に関する制御を行う制御基板を収納する基板収納体と、
前記基板収納体に蓋をして前記制御基板を封印する蓋体と、を備える遊技台の基板収納ケースであって、
識別情報が記憶されると共に前記記憶された識別情報を所定の機器により非接触の状態で読み取ることができる読取機能が付加されたシール部材を貼付するための貼付部と、
前記貼付部に貼付された前記シール部材の少なくとも一部を覆うシールカバー部材と、を備え、
前記シールカバー部材は、前記制御基板の封印を解除する封印解除操作に伴って前記シール部材の前記読取機能を不能化させ、前記識別情報の読み取りを不可とする読取不可機構を備えていることを特徴とする、
遊技台の基板収納ケース。
【請求項２】
前記シール部材に記憶される前記識別情報は、予め定められた遊技台固有の識別情報であることを特徴とする、
請求項１に記載の遊技台。
【請求項３】
前記基板収納体と前記蓋体にて前記制御基板が封印された状態を前記シールカバー部材にて保持する保持機構をさらに備え、
前記制御基板の封印の解除には、前記シールカバー部材による保持の解除が含まれることを特徴とする、
請求項１または２に記載の遊技台の基板収納ケース。
【請求項４】
前記シールカバー部材は、第１の形状部と、前記第１の形状部とは異なる位置に形成された第２の形状部と、を有し、
前記基板収納体は、前記第１の形状部と係合する第１の係合部を有し、
前記蓋体は、前記第２の形状部と係合する第２の係合部を有し、
前記保持機構は、前記第１の形状部と前記第１の係合部による係合、および前記第２の形状部と前記第２の係合部による係合により前記制御基板が封印された状態を保持することを特徴とする、
請求項３に記載の遊技台の基板収納ケース。
【請求項５】
前記シールカバー部材は、前記シール部材に当接する領域の一部が所定の応力により破断する破断領域を有し、
前記読取不可機構は、前記封印解除操作として前記基板収納ケースの開封に伴って前記破断領域が破断し、前記シールカバー部材の一部が前記シール部材の一部を挟んだ状態で前記基板収納体に係合したまま残置され、前記シールカバー部材の他の一部が前記シール部材の他の一部を挟んだ状態で前記蓋体に係合したまま残置されることで当該シール部材を破損させ、前記読取機能を不能化させることを特徴とする、
請求項１乃至４のいずれかに記載の遊技台の基板収納ケース。
【請求項６】
前記シールカバー部材は、前記シール部材側に向けて突出する突出部を備え、
前記読取不可機構は、前記シールカバー部材が前記保持機構により前記制御基板が封印された状態を保持する第１の位置から前記制御基板が封印された状態を保持しない第２の位置へ移動する間に、前記突出部を前記シール部材に干渉させて前記読取機能を不能化させることを特徴とする、
請求項３または４に記載の遊技台の基板収納ケース。
【請求項７】
前記シール部材は、前記所定の機器から発信される電波を少なくとも受信するためのアンテナ部材を含み、
前記読取不可機構は、前記封印解除操作に伴って前記アンテナ部材を破断することにより前記読取機能を不能化させることを特徴とする、
請求項１乃至６のいずれかに記載の遊技台の基板収納ケース。
【発明の詳細な説明】
【技術分野】
【０００１】
本発明は、回胴遊技機（スロットマシン）や弾球遊技機（パチンコ機）に代表される遊技台において、制御基板等の各種基板を収納する基板収納ケースに関する。
【背景技術】
【０００２】
従来、遊技台の一つとして、例えばスロットマシンが知られている。このスロットマシンは、一般に、複数種類の図柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段とを備え、入賞役に内部当選した場合であって、停止時のリールによって表示される図柄の組合せが、内部当選した入賞役に対応して予め定められた図柄の組合せである場合に、その入賞役に入賞し、払い出しが必要な場合には所定数のメダルを払い出すように構成されている。
【０００３】
このような遊技台は、ＣＰＵやＲＯＭ、ＲＡＭ等からなる遊技制御基板を備え、この遊技制御基板によって入賞役の内部抽選やメダルの払い出し等を制御している。このため、制御プログラムや抽選データ等が記憶されたＲＯＭを交換する等、様々な不正行為が遊技制御基板に対して行われる場合があった。
【０００４】
このような不正行為の防止を強化する観点から、遊技制御基板を内部に収納する基板ケース（基板収納ケース）を封印すると共に、基板ケースを開封（開放）したときに、その開封を行った痕跡が残るように構成された基板ケースの不正開放防止機構が提案されている（例えば、特許文献１参照）。
【先行技術文献】
【特許文献】
【０００５】
【特許文献１】特開２００４−２８３４４５号公報
【発明の概要】
【発明が解決しようとする課題】
【０００６】
近年では、不正行為の手口がより巧妙になり、基板収納ケースの不正開放防止機構だけでは、遊技制御基板に対する不正行為の撲滅までには届かず、より効果的な、さらなる不正防止対策が求められてきている。このため、さらなる不正防止対策として従来技術の基板収納ケースに遊技台固有の識別情報を記憶したＩＣタグシールを貼付し、ＩＣタグシールの識別情報を専用のＩＤ読取器にて読取り、遊技制御基板（基板収納ケース含む）が正規の基板か、または不正に交換された基板かを識別して、遊技台に取り付けられた遊技制御基板の管理を行う試みがなされている。
【０００７】
しかしながら、このＩＣタグシールを利用した不正防止対策については、基板収納ケースに貼付されたＩＣタグシールを生かした状態での不正行為が懸念されるという問題があった。このＩＣタグシールを生かした状態での不正行為としては、例えば、遊技台から基板収納ケースを取り外し、ＩＣタグシールが貼り付けられたままで基板収納ケース内（基板全体、またはＲＯＭのみ）だけを巧妙に交換する不正行為や、不正に偽造した複製基板収納ケース（偽造基板を収納）にＩＣタグシールを移植する不正行為等が考えられている。
【０００８】
本発明は、このような問題点を解決するためになされたものであって、ＩＣタグシールによる基板等の管理を行う場合に、ＩＣタグシールを生かした状態での不正行為を効果的に防止することが可能な遊技台の基板収納ケースを提供しようとするものである。
【課題を解決するための手段】
【０００９】
（１）本発明は、遊技に関する制御を行う制御基板を収納する基板収納体と、前記基板収納体に蓋をして前記制御基板を封印する蓋体と、を備える遊技台の基板収納ケースであって、識別情報が記憶されると共に前記記憶された識別情報を所定の機器により非接触の状態で読み取ることができる読取機能が付加されたシール部材を貼付するための貼付部と、前記貼付部に貼付された前記シール部材の少なくとも一部を覆うシールカバー部材と、を備え、前記シールカバー部材は、前記制御基板の封印を解除する封印解除操作に伴って前記シール部材の前記読取機能を不能化させ、前記識別情報の読み取りを不可とする読取不可機構を備えていることを特徴とする、遊技台の基板収納ケースである。
【００１０】
（２）本発明はまた、前記シール部材に記憶される前記識別情報は、予め定められた遊技台固有の識別情報であることを特徴とする、上記（１）に記載の遊技台である。
【００１１】
（３）本発明はまた、前記基板収納体と前記蓋体にて前記制御基板が封印された状態を前記シールカバー部材にて保持する保持機構をさらに備え、前記制御基板の封印の解除には、前記シールカバー部材による保持の解除が含まれることを特徴とする、上記（１）または（２）に記載の遊技台の基板収納ケースである。
【００１２】
（４）本発明はまた、前記シールカバー部材は、第１の形状部と、前記第１の形状部とは異なる位置に形成された第２の形状部と、を有し、前記基板収納体は、前記第１の形状部と係合する第１の係合部を有し、前記蓋体は、前記第２の形状部と係合する第２の係合部を有し、前記保持機構は、前記第１の形状部と前記第１の係合部による係合、および前記第２の形状部と前記第２の係合部による係合により前記制御基板が封印された状態を保持することを特徴とする、上記（３）に記載の遊技台の基板収納ケースである。
【００１３】
（５）本発明はまた、前記シールカバー部材は、前記シール部材に当接する領域の一部が所定の応力により破断する破断領域を有し、前記読取不可機構は、前記封印解除操作として前記基板収納ケースの開封に伴って前記破断領域が破断し、前記シールカバー部材の一部が前記シール部材の一部を挟んだ状態で前記基板収納体に係合したまま残置され、前記シールカバー部材の他の一部が前記シール部材の他の一部を挟んだ状態で前記蓋体に係合したまま残置されることで当該シール部材を破損させ、前記読取機能を不能化させることを特徴とする、上記（１）乃至（４）のいずれかに記載の遊技台の基板収納ケースである。
【００１４】
（６）本発明はまた、前記シールカバー部材は、前記シール部材側に向けて突出する突出部を備え、前記読取不可機構は、前記シールカバー部材が前記保持機構により前記制御基板が封印された状態を保持する第１の位置から前記制御基板が封印された状態を保持しない第２の位置へ移動する間に、前記突出部を前記シール部材に干渉させて前記読取機能を不能化させることを特徴とする、上記（３）または（４）に記載の遊技台の基板収納ケースである。
【００１５】
（７）本発明はまた、前記シール部材は、前記所定の機器から発信される電波を少なくとも受信するためのアンテナ部材を含み、前記読取不可機構は、前記封印解除操作に伴って前記アンテナ部材を破断することにより前記読取機能を不能化させることを特徴とする、上記（１）乃至（６）のいずれかに記載の遊技台の基板収納ケースである。
【発明の効果】
【００１６】
本発明に係る遊技台によれば、ＩＣタグシールによる基板等の管理を行う場合に、ＩＣタグシールを生かした状態での不正行為を効果的に防止することが可能という優れた効果を奏し得る。
【図面の簡単な説明】
【００１７】
【図１】本発明の実施例１に係るスロットマシンの外観斜視図である。
【図２】スロットマシンの内部構成の概略を示す前面扉を開いた斜視図である。
【図３】主基板収納ケースの構成を示した分解斜視図である。
【図４】（ａ）ＩＣタグ封印シールの一例を示した外観図である。（ｂ）ＩＣタグ封印シールの内部構造の一例を透過して示した図である。
【図５】シールカバー部材の外観斜視図である。
【図６】（ａ）シールカバー部材の取り付けを示した図である。（ｂ）シールカバー部材を主基板収納ケースに取り付けた状態を示した図である。
【図７】（ａ）および（ｂ）主基板収納ケース２１０の開放を示した図である。
【図８】図７（ａ）のＡ部拡大図である。
【図９】（ａ）図７（ｂ）のＢ部拡大図である。（ｂ）図７（ｂ）のＣ部拡大図である。
【図１０】主制御部の回路ブロック図を示したものである。
【図１１】副制御部の回路ブロック図を示したものである。
【図１２】主制御部のメイン処理の流れを示すフローチャートである。
【図１３】（ａ）副制御部の割込み処理の流れを示すフローチャートである。（ｂ）副制御部のメイン処理の流れを示すフローチャートである。
【図１４】実施例２の主基板収納ケースおよびシールカバー部材の構成を示した分解斜視図である。
【図１５】（ａ）および（ｂ）シールカバー部材の取り付け方法を示した図である。
【図１６】（ａ）シールカバー部材が遮蔽位置にあり、突出部材が取り付けられた状態を示した図である。（ｂ）シールカバー部材の取り外し方法を示した図である。
【図１７】突出部材によるＩＣタグ封印シールの破断を拡大して示した図である。
【図１８】パチンコ機の正面図である。
【発明を実施するための形態】
【００１８】
以下、図面を用いて、本発明の実施例に係るスロットマシン（遊技台）について詳細に説明する。
【実施例１】
【００１９】
＜全体構成＞
まず、図１を用いて、本実施例に係るスロットマシン１００の全体構成について説明する。なお、同図はスロットマシン１００の外観斜視図を示したものである。
【００２０】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例では、３個のリールをスロットマシン１００の中央内部に備えているが、リールの数やリールの設置位置はこれに限定されるものではない。
【００２１】
また、図柄表示窓１１３の外枠には、点滅や点灯などの点灯制御によって、後述する有効ラインや入賞ラインを報知するためのライン表示ＬＥＤ（図示省略）が配置されている。
【００２２】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００２３】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２４】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２５】
メダル投入ボタン１３０、１３１は、スロットマシン１００に電子的に貯留されているメダルを所定の枚数分投入するためのボタンである。本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２６】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２７】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例では発光可能な受皿を採用している。
【００２８】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２９】
＜内部構成＞
次に、スロットマシン１００の内部構成について簡単に説明する。図２は、スロットマシン１００の内部構成の概略を示す前面扉１０２を開いた斜視図である。本体部としてのキャビネット１０１の内部には、主基板収納ケース２１０、副制御基板収納ケース２２０およびリールユニット１８５や、図示を省略した電源ボックス、メダル払出装置１８０、メダル補助収納部２４０、中央スピーカユニット、外部中継端子板等の諸装置が配設されている。
【００３０】
リールユニット１８５は、樹脂製のケース２２１内にステッピングモータで駆動されるリール１１０〜１１２を個別に着脱可能に取り付けて構成している。そして、このリールユニット１８５は、ケース２２１により３本のリールをユニット化し、キャビネット１０１に設けたリールユニット載置台２７８に対する着脱を容易に行えるように構成している。また、リールユニット載置台２７８の下部には、音通路２７７が取り付けられ、前面扉１０２がキャビネット１０１に閉じられた状態で前面扉１０２に取り付けられた音通路２６８と組み合わさるように構成している。中央スピーカユニットから出力された音は、この音通路２７７および音通路２６８を通過して外部に出力される。
【００３１】
キャビネット１０１の内部には、透明な樹脂ケースからなる主基板収納ケース２１０が、キャビネット１０１を構成している後板の上部に、取付ベース２３０を介して取り付けられている。この主基板収納ケース２１０の内部空間には、スロットマシン１００の全体的な制御を行う主制御部３００を構成する電子部品を実装した主制御基板が収納されている。
【００３２】
また、図示を省略した電源ボックスは、キャビネット１０１の後板の壁面に装着され、金属製ケースの内部に、スロットマシン１００の諸装置へ必要な電力を供給するための電源基板が収納されている。
【００３３】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体１８１と、払出装置本体１８１にメダルを供給すると共にメダルを蓄積するメダルタンク１８２とで構成されている。そして、メダル払出装置１８０の横には、メダル補助収納部２４０が置かれており、前記メダル払出装置１８０がメダルでいっぱいになると、余分なメダルは流れ落ち、このメダル補助収納部２４０内に蓄積される。
【００３４】
そして、前記主制御基板およびリール１１０〜１１２の側方、即ち向って左側の側板には、演出の制御を行う副制御部４００を構成する副制御基板を収納した副基板収納ケース２２０が配設してある。
【００３５】
一方、キャビネット１０１の側板にヒンジ装置２７６を介して蝶着された前面扉１０２には、演出装置１９０、この演出装置を制御する演出制御基板を収納した演出制御基板収納ケース２７４、上部スピーカ２７２、図柄表示窓１１３を有するリールパネル２７０、投入されたメダルを選別するためのメダルセレクタ１７０、このメダルセレクタ１７０が不正なメダル等をメダル受皿１５６に落下させる際にメダルが通過する通路２６６等が設けてある。メダルセレクタ１７０は、さらに、投入されたメダルをメダルタンク１８２に案内する通路１７１を備えている。
【００３６】
＜主基板収納ケース＞
次に、図３〜５を用いて、主基板収納ケース２１０について説明する。図３は、主基板収納ケース２１０の構成を示した分解斜視図である。
【００３７】
主基板収納ケース２１０は、底面が略矩形の角皿状である基板収納体２１２および蓋体２１３を組み合わせて構成される箱体となっている。この主基板収納ケース２１０の内部の空間には、遊技に関するプログラムや各種データ等を記憶したＲＯＭ３１２や、ＣＰＵ、ＲＡＭ等のその他の電子部品２１１ａが実装され、後述する主制御部３００を構成する主制御基板２１１が収納される。基板収納体２１２および蓋体２１３は、それぞれ透光性の樹脂から構成されており、主基板収納ケース２１０内部に収納された主制御基板２１１を外部から視認することが可能となっている。
【００３８】
基板収納体２１２の下側縁、および蓋体２１３の下側縁には互いに係合するヒンジ部２１２ａ、２１３ａがそれぞれ２箇所に設けられている。主基板収納ケース２１０を組み立てる場合には、まず、基板収納体２１２のヒンジ部２１２ａと蓋体２１３のヒンジ部２１３ａを係合させ、次に、ヒンジ部２１２ａ、２１３ａを中心に蓋体２１３を揺動させて基板収納体２１２と蓋体２１３を合わせ、ケース用かしめピン２１４ａを用いて封印（かしめ）する。
【００３９】
基板収納体２１２および蓋体２１３の上部には、ケース用かしめピン２１４ａを挿入して両者を分離できないように封印するためのケース用かしめ部２１２ｂ、２１３ｂが、それぞれ４箇所に設けられている。これらのケース用かしめ部２１２ｂ、２１３ｂは、基板収納体２１２および蓋体２１３を組み合わせた場合に、基板収納体２１２のケース用かしめ部２１２ｂが蓋体２１３のケース用かしめ部２１３ｂ内に収容され、ケース用かしめピン２１４ａが挿入される挿入孔がそれぞれ連通するように構成されている。そして、この連通した挿入孔に挿入されたケース用かしめピン２１４ａが、ケース用かしめ部２１２ｂ、２１３ｂのそれぞれに取り外し不可能に係止するようになっている。すなわち、ケース用かしめピン２１４ａを挿入することにより、ケース用かしめ部２１２ｂ、２１３ｂが互いに分離不可能に結合され、主基板収納ケース２１０が封印される。
【００４０】
なお、一旦封印した主基板収納ケース２１０を開封する場合には、蓋体２１３のケース用かしめ部２１３ｂを蓋体２１３から切断する。これにより、基板収納体２１２および蓋体２１３を分離した後も、蓋体２１３のケース用かしめ部２１３ｂが基板収納体２１２のケース用かしめ部２１２ｂと結合したまま基板収納体２１２に残ることととなり、主基板収納ケース２１０を開封した痕跡が残るようになっている。本実施例では、ケース用かしめ部２１２ｂ、２１３ｂが左右にそれぞれ２箇所ずつ設けられており、１回の封印においては左右１箇所ずつを使用するため、主基板収納ケース２１０の封印を２回行うことができるようになっている。
【００４１】
また、本実施例では、ケース用かしめ部２１２ｂ、２１３ｂの配置に応じて、２つのケース用かしめピン２１４ａを略コの字形状の連結部材２１４ｂで連結している。このように、複数のケース用かしめピン２１４ａを連結し、一体化することによって、ケース用かしめピン２１４ａの紛失を防止すると共に、封印忘れを防止することができる。
【００４２】
主制御基板２１１は、右上角部近傍および左下角部近傍に形成された係合孔２１１ｂ内に、基板収納体２１２に設けられた係合凸部２１２ｃが挿入されると共に、蓋体２１３に設けられた押圧凸部２１３ｃによって押圧されることによって主基板収納ケース２１０内に固定される。また、主制御基板２１１には、外部の各種基板等に繋がるケーブルを接続するための複数のコネクタ２１１ｃが下端部に実装されており、蓋体２１３には、これらのコネクタ２１１ｃに対応する位置に複数のコネクタ孔２１３ｄが設けられている。主制御基板２１１が主基板収納ケース２１０内に収納された状態では、各コネクタ２１１ｃは、対応するコネクタ孔２１３ｄから一部が露出するようになっている。従って、主基板収納ケース２１０を開封しなくとも、外部の各種基板等に繋がるケーブルを各コネクタ２１１ｃに接続することが可能となっている。また、逆に、各コネクタ２１１ｃに接続されたケーブルを外さない限り、基板収納体２１２と蓋体２１３を分離して主基板収納ケース２１０を開封することができないようになっている。
【００４３】
主基板収納ケース２１０の上部中央は、ＩＣタグ封印シール２１５を貼付ける部分となっている。基板収納体２１２の上部中央には、蓋体２１３に向けて突出する縦長の略矩形状の貼付凸部２１２ｄが設けられている。この貼付凸部２１２ｄ表面の上下両端部には、後述するシールカバー部材２５０の一部が係止する横長の係止孔２１２ｅが形成されている。
【００４４】
蓋体２１３の上部中央には、横長の略矩形状の窪みである収容凹部２１３ｅが形成され、この収容凹部２１３ｅの底部にはさらに、横長の略矩形状の窪みである貼付凹部２１３ｆが形成されている。そして、収容凹部２１３ｅの左右両端部には、後述するシールカバー部材２５０の一部が係止する縦長の係止孔２１３ｇが形成されている。また、収容凹部２１３ｅの中央部には、縦長の略矩形状の収容孔２１３ｈが形成されている。この収容孔２１３ｈは、基板収納体２１２と蓋体２１３を組み合わせた場合に、基板収納体２１２の貼付凸部２１２ｄが収容されるように構成されている。
【００４５】
ＩＣタグ封印シール２１５は、基板収納体２１２と蓋体２１３を組み合わせた後に、基板収納体２１２の貼付凸部２１２ｄの表面と、その左右両側の蓋体２１３の貼付凹部２１３ｆに跨って貼付けられる（図６参照）。従って、本実施例では、主基板収納ケース２１０を開封するにはＩＣタグ封印シール２１５を剥がす、または破断する必要があり、これによっても主基板収納ケース２１０を開封した痕跡が残るようになっている。すなわち、主基板収納ケース２１０は、ＩＣタグ封印シール２１５によっても封印されている。
【００４６】
図４（ａ）はＩＣタグ封印シール２１５の一例を示した外観図であり、同図（ｂ）はＩＣタグ封印シール２１５の内部構造の一例を透過して示した図である。この例では、同図（ａ）に示されるように、ＩＣタグ封印シール２１５の表面の中央部には、矩形状の識別番号表示領域２１５ａが設けられており、この識別番号表示領域２１５ａには、「＊＊Ａ＊＊／＊＊＊＊」等の複数の数字および記号からなる主制御基板２１１の識別番号、ならびにこの識別番号のバーコードが記載されている。また、識別番号表示領域２１５ａの上方には「複製禁止」という警告表示が記載され、下方には「＊＊＊＊遊技機協同組合」等のＩＣタグ封印シール２１５の出所表示が記載されている。
【００４７】
このＩＣタグ封印シール２１５の内部には、同図（ｂ）に示されるように、ＩＣチップ２１５ｂ、およびコイル状のアンテナ２１５ｃからなるＩＣタグが配設されている。これらのＩＣチップ２１５ｂおよびアンテナ２１５ｃは、例えば積層された樹脂フィルムや紙等の間に挟持された状態で配置されている。ＩＣチップ２１５ｂは、各種情報を記憶するメモリを備えると共に、アンテナ２１５ｃを介して外部のＩＣタグリーダ／ライタから受信したコマンドに基づいて、メモリに記憶した情報の送信や、受信した情報のメモリへの書き込み等を制御する制御部等を備えている。また、ＩＣチップ２１５ｂは、外部のＩＣタグリーダ／ライタから送信される無線信号（電磁波）から動作用の電力を得るように構成されている。
【００４８】
ＩＣチップ２１５ｂのメモリには、ＩＣチップ２１５ｂの製造時に書き込まれるＩＣチップ２１５ｂ固有のＩＤ（ＵＩＤ）、およびＩＣタグ封印シール２１５の製造時またはスロットマシン１００の出荷検査時に書き込まれる主制御基板２１１の識別番号等の遊技台固有の情報が記憶されている。従って、遊技店では、前面扉１０２を開いてＩＣタグリーダ／ライタをＩＣタグ封印シール２１５の近傍にかざすだけで、これらの情報を容易に読み取ることができる。そして、この読み取った情報に基づいて、ＩＣタグ封印シール２１５が正規のものか否か、またはＩＣタグ封印シール２１５に破壊等の異常が生じているか否かを判断することができ、これにより主制御基板２１１に対して不正行為が行われたか否かを容易に確認することが可能となっている。
【００４９】
図３に戻って、ＩＣタグ封印シール２１５は、主基板収納ケース２１０に貼付けられた後に、シールカバー部材２５０によって覆われる（遮蔽される）ため、外部からＩＣタグ封印シール２１５に接触することが略不可能となっている。本実施例では、このようにすることで、ＩＣタグ封印シール２１５に対する不正行為を防止するようにしている。また、情報の読み取り時やメンテナンス時等の不用意な接触によるＩＣタグ封印シール２１５の破損を防止するようにしている。
【００５０】
また、シールカバー部材２５０は、蓋体２１３の収容凹部２１３ｅ内に略嵌合した状態で主基板収納ケース２１０に取り付けられる。このようにすることで、シールカバー部材２５０と蓋体２１３の隙間からＩＣタグ封印シールにアクセスするのを防止することができる。
【００５１】
＜シールカバー部材＞
次に、シールカバー部材２５０の詳細について説明する。図５は、シールカバー部材２５０の外観斜視図である。
【００５２】
シールカバー部材２５０は、横長の略矩形平板状の部材であり、中央の第１遮蔽部２５１と、第１遮蔽部２５１の左右両側に設けられた２つの第２遮蔽部２５２と、第１遮蔽部２５１と第２遮蔽部２５２の間に設けられた２つの破断部２５３から構成されている。また、第１遮蔽部２５１の裏面の上下両端部にはそれぞれ第１係止部２５４が、右側の第２遮蔽部２５２の裏面の右端部および左側の第２遮蔽部２５２の裏面の左端部にはそれぞれ第２係止部２５５が突設されている。
【００５３】
破断部２５３は、シールカバー部材２５０を第１遮蔽部２５１と、２つの第２遮蔽部２５２に分割するための部分であり、隣り合った第１遮蔽部２５１および第２遮蔽部２５２を繋ぐ複数の接続片２５３ａから構成されている。この接続片２５３ａは、中間部分の断面積が小さくなっており、容易に破断することができるようになっている。
【００５４】
第１係止部２５４は、第１遮蔽部２５１の裏面に突設された２つの舌片部２５４ａから構成されている。これら２つの舌片部２５４ａは、互いに平行に配置された略平板状の部材であり、先端部の外側面には楔形状の係止突起２５４ｂがそれぞれ設けられている。第２係止部２５５は、第１係止部２５４と略同一に構成されており、２つの舌片部２５５ａの先端部の外側面には係止突起２５５ｂがそれぞれ設けられている。
【００５５】
シールカバー部材２５０は、基板収納体２１２および蓋体２１３と同様に、透光性の樹脂から構成されている。従って、シールカバー部材２５０によってＩＣタグ封印シール２１５を遮蔽した後も、外部からＩＣタグ封印シール２１５表面の表示を視認できるようになっている。
【００５６】
図６（ａ）は、シールカバー部材２５０の取り付けを示した図である。同図に示されるように、シールカバー部材２５０は、基板収納体２１２と蓋体２１３が組み合わされ、ケース用かしめ部２１２ｂ、２１３ｂおよびケース用かしめピン２１４ａによる封印がなされ、ＩＣタグ封印シール２１５が貼付けられた後に、主基板収納ケース２１０に取り付けられる。
【００５７】
基板収納体２１２と蓋体２１３が組み合わされると、基板収納体２１２の貼付凸部２１２ｄの表面と蓋体２１３の貼付凹部２１３ｆの底面が略同一平面上となり、ＩＣタグ封印シールは、この両者に跨って貼付けられる。従って、ＩＣタグ封印シール２１５は、収容凹部２１３ｆ内に貼付けられており、シールカバー部材２５０は、このＩＣタグ封印シール２１５を覆うようにして前方（表側）から主基板収納ケース２１０に取り付けられる。
【００５８】
具体的には、シールカバー部材２５０は、第１係止部２５４が基板収納体２１２の係止孔２１２ｅ内に挿入されて係止し、第２係止部２５５が蓋体２１３の係止孔２１３ｇ内に挿入されて係止することで、主基板収納ケース２１０に取り外し不可能に取り付けられる。第１係止部２５４は、楔形状の係止突起２５４ｂにより２つの舌片部２５４ａが弾性変形して内側に曲がりながら基板収納体２１２の係止孔２１２ｅに挿入される。係止突起２５４ｂが係止孔２１２ｅを通過すると、２つの舌片部２５４ａの弾性変形が解除されて外側に広がるため、係止突起２５４ｂによって基板収納体２１２の係止孔２１２ｅに係止される。第２係止部２５５も同様に、２つの舌片部２５５ａが弾性変形しながら蓋体２１３の係止孔２１３ｇに挿入され、弾性変形が解除された後に係止突起２５５ｂによって蓋体２１３の係止孔２１３ｇに係止される。
【００５９】
シールカバー部材２５０が主基板収納ケース２１０に取り付けられた状態では、第１係止部２５４の係止突起２５４ｂは基板収納体２１２の貼付凸部２１２ｄの内部に位置し、第２係止部２５５の係止突起２５５ｂは蓋体２１３の内側（主基板収納ケース２１０の内部）に位置している。従って、主基板収納ケース２１０の外部からこれらの係止突起２５４ｂ、２５５ｂにアクセスして操作することは不可能となっている。このため、本実施例では、主基板収納ケース２１０を開封しない限り、シールカバー部材２５０を主基板収納ケース２１０から取り外すことができないようになっている。
【００６０】
図６（ｂ）は、シールカバー部材２５０を主基板収納ケース２１０に取り付けた状態を示した図である。同図に示されるように、シールカバー部材２５０およびＩＣタグ封印シール２１５は、主基板収納ケース２１０の上部に取り付けられるため、主基板収納ケース２１０内部の視認性、特に中央部の視認性を阻害しないようになっている。このため、主制御基板２１１に実装されたＲＯＭ３１２や、ＣＰＵやＲＡＭ等のその他の電子部品２１１ａについて目視により容易に状態を確認することができるようになっている。
【００６１】
シールカバー部材２５０は、第１遮蔽部２５１が貼付凸部２１２ｄに対向し、２つの第２遮蔽部２５２がそれぞれ貼付凹部２１３ｆに対向した状態で収容凹部２１３ｅ内に嵌り込み、主基板収納ケース２１０に取り付けられる。この状態では、シールカバー部材２５０はＩＣタグ封印シール２１５の全体を覆っており、外部からＩＣタグ封印シール２１５に接触するのは略不可能となっている。
【００６２】
また、シールカバー部材２５０は、第１係止部２５４が基板収納体２１２に係止し、第２係止部２５５が蓋体２１３に係止しているため、基板収納体２１２および蓋体２１３の両方に取り外し不可能に係止している。すなわち、本実施例では、シールカバー部材２５０を破壊（破断）しない限り基板収納体２１２と蓋体２１３を分離できないようになっており、シールカバー部材２５０は、主基板収納ケース２１０の開放を防止する封印手段としても機能している。
【００６３】
図７（ａ）および（ｂ）は、主基板収納ケース２１０の開放を示した図である。なお、これらの図においては、ケース用かしめ部２１２ｂ、２１３ｂおよびケース用かしめピン２１４ａによる封印の解除は図示を省略している。
【００６４】
上述のように、シールカバー部材２５０の第１遮蔽部２５１は第１係止部２５４によって基板収納体２１２に係止し、第２遮蔽部２５２は第２係止部２５５によって蓋体２１３に係止している。従って、同図（ａ）に示されるように、ヒンジ部２１２ａ、２１３ａを中心に基板収納体２１２および蓋体２１３を揺動させて主基板収納ケース２１０を開放しようとした場合、シールカバー部材２５０は、第１遮蔽部２５１と第２遮蔽部２５２の間の破断部２５３において剪断力を受け、破断部２５３が破断することとなる。
【００６５】
従って、同図（ｂ）に示されるように、主基板収納ケース２１０を開放した場合、シールカバー部材２５０は、第１遮蔽部２５１および第２遮蔽部２５２が分離され、第１遮蔽部２５１が基板収納体２１２の貼付凸部２１２ｄ上に係止して残存した状態、および第２遮蔽部２５２が蓋体２１３の収容凹部２１３ｅ内に係止して残存した状態となる。これにより、主基板収納ケース２１０を開放した痕跡が残ることとなり、主基板収納ケース２１０が開放されたことを容易に確認することができるようになっている。
【００６６】
さらに、本実施例では、シールカバー部材２５０が破断された場合に、ＩＣタグ封印シール２１５を破断し、ＩＣタグ封印シール２１５の機能を不能化させるようになっている。図８は、図７（ａ）のＡ部拡大図である。また、図９（ａ）は、図７（ｂ）のＢ部拡大図であり、同図（ｂ）は、図７（ｂ）のＣ部拡大図である。
【００６７】
図８に示されるように、主基板収納ケース２１０を開放しようとした場合、シールカバー部材２５０は、第１遮蔽部２５１が基板収納体２１２と共に移動し、第２遮蔽部２５２が蓋体２１３と共に移動するため、互いに逆方向に移動する基板収納体２１２および蓋体２１３によって剪断力を受ける。そして、基板収納体２１２および蓋体２１３の揺動に伴って、移動量の多い上部から破断部２５３が徐々に破断していく。
【００６８】
このとき、蓋体２１３が基板収納体２１２から離れるのに伴ってＩＣタグ封印シール２１５も蓋体２１３と共に移動し、基板収納体２１２の貼付凸部２１２ｄ表面に貼付けられた部分が剥がれようとする。しかし、ＩＣタグ封印シール２１５の貼付凸部２１２ｄ表面に貼付けられた部分は、表側からシールカバー部材２５０の第１遮蔽部２５１によって覆われているため、完全に剥がれることができず、互いに逆方向に移動するシールカバー部材２５０の第１遮蔽部２５１と蓋体２１３の貼付凹部２１３ｆによって剪断力を受けることとなる。従って、ＩＣタグ封印シール２１５は、第１遮蔽部２５１と貼付凹部２１３ｆの境目において、移動量の多い上部から徐々に破断していく。
【００６９】
主基板収納ケース２１０が開放された後は、ＩＣタグ封印シール２１５は完全に破断され、図９（ａ）および（ｂ）に示されるように、蓋体２１３の貼付凹部２１３ｆに貼付けられた部分、および基板収納体２１２の貼付凸部２１２ｄに貼付けられた部分の３つに分離されることとなる。そして、ＩＣタグ封印シール２１５の貼付凹部２１３ｆに貼付けられた部分は、シールカバー部材２５０の第２遮蔽部２５２と共に蓋体２１３に（第２遮蔽部２５２に挟まれた状態で）残存し、ＩＣタグ封印シール２１５の貼付凸部２１２ｄに貼付けられた部分は、シールカバー部材２５０の第１遮蔽部２５１と共に基板収納体２１２に（第１遮蔽部２５１に挟まれた状態で）残存する。
【００７０】
この状態では、ＩＣタグ封印シール２１５に内蔵されたアンテナ２１５ｃが完全に切断されるため、ＩＣタグ封印シール２１５とＩＣタグリーダ／ライタの通信が不可能となる。従って、ＩＣタグ封印シール２１５に記憶された情報を外部から読み取ることが不可能となり、ＩＣタグ封印シール２１５の機能が不能化される。
【００７１】
このように、本実施例では、主基板収納ケース２１０を開放する場合に、シールカバー部材２５０と共にＩＣタグ封印シール２１５が破断され、ＩＣタグ封印シール２１５の機能が不能化されるようになっている。これにより、主制御基板２１１に対する不正行為を行おうとした場合に、主基板収納ケースの開放においてＩＣタグ封印シール２１５の機能が不能化するため、ＩＣタグ封印シール２１５の機能を生かしたまま主制御基板２１１に対する不正行為が行われるのを確実に防止することができる。
【００７２】
なお、本実施例では、シールカバー部材２５０は、破断されることによって１つの第１遮蔽部２５１および２つの第２遮蔽部２５２の３つに分離されるように構成されているが、これに限定されるものではなく、シールカバー部材２５０は、例えば、１つの第１遮蔽部２５１および１つの第２遮蔽部２５２の２つに分離されるものや、２つの第１遮蔽部２５１および１つの第２遮蔽部２５２の３つに分離されるもの、２つの第１遮蔽部２５１および２つの第２遮蔽部２５２の２つに分離されるもの等であってもよい。
【００７３】
また、本実施例では、シールカバー部材２５０は、ＩＣタグ封印シール２１５の全体を覆うように構成されているが、これに限定されるものではなく、ＩＣタグ封印シール２１５の一部（例えば、ＩＣチップ２１５ｂの部分や、識別番号表示領域２１５ａの部分等）のみを覆うものであってもよい。
【００７４】
＜制御部＞
次に、図１０および図１１を用いて、このスロットマシン１００の制御部の回路構成について詳細に説明する。
【００７５】
スロットマシン１００の制御部は、大別すると、遊技の中枢部分を制御する主制御部３００と、主制御部３００より送信されたコマンドに応じて各種機器を制御する副制御部４００と、によって構成されている。
【００７６】
＜主制御部＞
まず、図１０を用いて、スロットマシン１００の主制御部３００について説明する。なお、同図は主制御部３００の回路ブロック図を示したものである。
【００７７】
主制御部３００は、主制御部３００の全体を制御するための演算処理装置であるＣＰＵ３１０や、ＣＰＵ３１０が各ＩＣや各回路と信号の送受信を行うためのデータバスおよびアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００７８】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００７９】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００８０】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダルおよびベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００８１】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー１８０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００８２】
また、ＣＰＵ３１０には、乱数発生回路３１７がデータバスを介して接続されている。乱数発生回路３１７は、水晶発振器３１１および水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００８３】
＜副制御部＞
次に、図１１を用いて、スロットマシン１００の副制御部４００について説明する。なお、同図は副制御部４００の回路ブロック図を示したものである。
【００８４】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバスおよびアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００８５】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００８６】
また、ＣＰＵ４１０には、副制御部４００の全体を制御するための命令およびデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００８７】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００８８】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００８９】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７および扉１６３を制御する制御部である。
【００９０】
＜主制御部の処理＞
次に、図１２を用いて、主制御部３００のメイン処理について説明する。なお、同図は、主制御部３００のメイン処理の流れを示すフローチャートである。
【００９１】
遊技の基本的制御は主制御部３００のＣＰＵ３１０が中心になって行い、電源断等を検知しないかぎり、同図の処理を実行する。また、各処理の実行によって得られた情報は副制御部４００に送信する。
【００９２】
スロットマシン１００に電源投入が行われると、まず、ステップＳ１０１で初期処理が実行される。ここでは各種の初期化処理が行われる。
【００９３】
ステップＳ１０２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３０が操作されたか否かのチェックを行い、スタートレバー１３５の操作があればステップＳ１０４へ進む。
【００９４】
ステップＳ１０３では投入されたメダル枚数を確定し、有効な入賞ラインを確定する。ステップＳ１０４では乱数発生器で発生させた乱数を取得する。
【００９５】
ステップＳ１０５では、現在の遊技状態に応じてＲＯＭに格納されている入賞役抽選テーブルを読み出し、これとステップＳ１０４で取得した乱数値とを用いて内部抽選を行う。内部抽選の結果、いずれかの入賞役（作動役を含む）に内部当選した場合、その入賞役のフラグがＯＮになる。ステップＳ１０６では内部抽選結果に基づき、リール停止データを選択する。
【００９６】
ステップＳ１０７では全リール１１０〜１１２の回転を開始させる。ステップＳ１０８では、ストップボタン１３７〜１３９の受け付けが可能になり、いずれかのストップボタンが押されると、押されたストップボタンに対応するリール１１０〜１１２のいずれかをステップＳ１０６で選択したリール停止制御データに基づいて停止させる。全リール１１０〜１１２が停止するとステップＳ１０９へ進む。
【００９７】
ステップＳ１０９では、入賞判定を行う。ここでは、有効化された入賞ライン１１４上に、何らかの入賞役に対応する絵柄組合せが表示された場合にその入賞役に入賞したと判定する。例えば、有効化された入賞ライン上に、「ベル−ベル−ベル」が揃っていたならばベル入賞と判定する。但し、ビッグボーナス（ＢＢ）およびレギュラーボーナス（ＲＢ）については、今回の遊技で入賞しなかった場合は、次回の遊技に内部当選フラグがＯＮの状態が維持される。所謂フラグの持ち越しが行われる。
【００９８】
ステップＳ１１０では払い出しのある何らかの入賞役に入賞していれば、その入賞役に対応する枚数のメダルを入賞ライン数に応じて払い出す。ステップＳ１１１では遊技状態制御処理を行う。以上により１ゲームが終了する。以降ステップＳ１０２へ戻って上述した処理を繰り返すことにより遊技が進行することになる。
【００９９】
＜副制御部の処理＞
次に、図１３（ａ）および（ｂ）を用いて、副制御部４００の処理について説明する。図１３（ａ）は、副制御部４００の割込み処理の流れを示すフローチャートである。副制御部４００は、所定の周期（本実施例では、２ｍｓに１回）でタイマ割込みを発生するハードウェアタイマを備えており、このタイマ割込みを契機として、副制御部４００の割込み処理を実行する。
【０１００】
ステップＳ２０１では、受信コマンドがあるか否かを判定する。主制御部３００からコマンドを受信した場合はステップＳ２０２に進み、そうでない場合は処理を終了する。ステップＳ２０２では、受信コマンドを未処理コマンドとしてＲＡＭ４１３のコマンド記憶領域に記憶（格納）する。
【０１０１】
図１３（ｂ）は、副制御部４００のメイン処理の流れを示すフローチャートである。
【０１０２】
ステップＳ３０１では、ＲＡＭ４１３のコマンド記憶領域に未処理コマンド（上記副制御部４００の割込み処理によって格納される制御コマンド）が格納されているか否かを判定する。未処理コマンドがある場合はステップＳ３０２に進み、そうでない場合は上記判定を繰り返す。ステップＳ３０２では、未処理コマンドの内容を解析して判定する。
【０１０３】
ステップＳ３０３では、演出制御処理を行う。ここでは、主制御部３００から受信したコマンド等に基づいて、副制御部４００の各演出デバイス（演出ランプ４３０、スピーカ４８３等）、ならびに液晶表示装置１５７および扉装置１６３等による各種演出制御の設定や、動作制御データ等の更新を行う。
【０１０４】
ステップＳ３０４では、副制御部４００の各演出デバイス、ならびに液晶表示装置１５７および扉装置１６３を制御する扉・液晶画面制御部４９０に制御データを出力する必要があるか否かを判定する。制御データを出力する必要がある場合はステップＳ９０５に進み、そうでない場合はステップＳ３０１に戻る。ステップＳ３０５では、副制御部４００の各演出デバイスおよび扉・液晶画面制御部４９０に制御データを出力した後に、ステップＳ３０１に戻って上記処理を繰り返し実行する。
【実施例２】
【０１０５】
次に、本発明の実施例２に係るスロットマシンについて説明する。本実施例に係るスロットマシンは、主基板収納ケース２１０の一部を変更すると共に、シールカバー部材２６０を適用したものであり、他の構造については上記実施例１に係るスロットマシン１００と同一である。このため、同一部分については図中において同じ符号を付すと共に、その説明は省略し、以下、スロットマシン１００と異なる部分についてのみ説明する。
【０１０６】
＜主基板収納ケースおよびシールカバー部材＞
図１４は、主基板収納ケース２１０およびシールカバー部材２６０の構成を示した分解斜視図である。同図に示されるように、基板収納体２１２の下側縁には門型のヒンジ部２１２ｆが２箇所に設けられており、蓋体２１３の下側縁にはヒンジ部２１２ｆと係合するフック状のフック部２１３ｉが２箇所に設けられている。本実施例では、主基板収納ケース２１０を組み立てる場合には、まず、蓋体２１３のフック部２１３ｉを基板収納体２１２のヒンジ部２１２ｆに係合させ、次に、ヒンジ部２１２ｆを中心に蓋体２１３を揺動させて基板収納体２１２と蓋体２１３を合わせ、ケース用かしめピン２１４ａを用いて封印（かしめ）する。
【０１０７】
本実施例では、基板収納体２１２の貼付凸部２１２ｄは横長の矩形状であり、表面には左端から右端にかけて左右方向に連続する取付レール２１２ｇが形成されている。また、取付レール２１２ｇの左端部から貼付凸部２１２ｄの左下角部にかけては、ストッパ壁２１２ｈが形成されている。
【０１０８】
また、蓋体２１３の上部中央には、基板収納体２１２と蓋体２１３を組み合わせた場合に貼付凸部２１２ｄが収容される矩形状の凹部２１３ｊが形成されている。そして、この凹部２１３ｊの下方には、左右方向に連続する取付レール２１３ｋが凹部２１３ｊと略同一の幅にわたって形成されている。この取付レール２１３ｋの左端部から凹部２１３ｊの左下角部にかけてはストッパ壁２１３ｌが形成されている。
【０１０９】
シールカバー部材２６０は、裏面を窪ませた略矩形平板状の部材であり、取付レール２１２ｇ、２１３ｋと係合する係合部２６１が上下側縁の略全長にわたって設けられている。また、シールカバー部材２６０の左端部近傍には、係止孔２６２が形成されており、この係止孔２６２には、突出部材２６４が挿入されて係止される。
【０１１０】
突出部材２６４は、略平板状の基部２６４と、基部２６４に突設された棒状の突出部２６４ｂと、突出部２６４ｂの基端から外側に向けて斜めに突設された鈎状の２つの係止部２６４ｃから構成されている。突出部材２６４は、係止孔２６２に表側から挿入され、突出部２６４ｂが裏側に突出した状態でシールカバー部材２６０に係止する。
【０１１１】
＜シールカバー部材の取り付け、取り外し＞
次に、図１５〜１７を用いて、シールカバー部材２６０の取り付けおよび取り外しについて説明する。図１５（ａ）および（ｂ）は、シールカバー部材２６０の取り付け方法を示した図である。
【０１１２】
同図（ａ）に示されるように、シールカバー部材２６０は、基板収納体２１２と蓋体２１３が組み合わされ、ケース用かしめ部２１２ｂ、２１３ｂおよびケース用かしめピン２１４ａによる封印がなされ、ＩＣタグ封印シール２１５が貼付けられた後に、主基板収納ケース２１０に取り付けられる。ＩＣタグ封印シール２１５は、基板収納体２１２の貼付凸部２１２ｄ表面およびその下方の蓋体２１３の表面に跨って貼付けられる。
【０１１３】
基板収納体２１２と蓋体２１３を組み合わせた状態では、基板収納体２１２の取付レール２１２ｇおよび蓋体２１３の取付レール２１３ｋは略平行となり、基板収納体２１２のストッパ壁２１２ｈと蓋体２１３のストッパ壁２１３ｌは、略連続した状態となる。そして、ＩＣタグ封印シール２１５は、２つの取付レール２１２ｇ、２１３ｋの間において、基板収納体２１２の貼付凸部２１２ｄ表面およびその下方の蓋体２１３の表面に跨って貼付けられる。
【０１１４】
シールカバー部材２６０は、右方から上下側縁の係合部２６１を取付レール２１２ｇ、２１３ｋに係合させ、そのまま取付レール２１２ｇ、２１３ｋに沿って左方に向けてスライドさせることで主基板収納ケース２１０に取り付けられる。そして、同図（ｂ）に示されるように、左端部がストッパ壁２１２ｈ、２１３ｌに略当接する遮蔽位置まで、シールカバー部材２６０はスライドされる。突出部材２６４は、シールカバー部材２６０を遮蔽位置に移動させた後に係止孔２６２に挿入されて、取り付けられる。
【０１１５】
突出部材２６４がシールカバー部材２６０に係止した状態では、２つの係止部２６４ｃはシールカバー部材２６０の裏側の窪み内に位置している。従って、シールカバー部材２６０が主基板収納ケースに取り付けられている場合には、係止部２６４ｃに外部からアクセスして操作することが不可能となっている。すなわち、本実施例では、シールカバー部材２６０を主基板収納ケース２１０から取り外さない限り、突出部材２６４をシールカバー部材２６０から取り外すことができないようになっている。
【０１１６】
なお、図示は省略するが、シールカバー部材２６０は、遮蔽位置において係合部２６１右端の位置決め部（図示省略）および取付レール２１２ｇ、２１３ｋの右端の位置決め部（図示省略）が係止するようになっている。このため、ストッパ壁２１２ｈ、２１３ｌによって左方向へのスライドが規制されると共に、右方向へも容易にスライドしないようになっている。すなわち、シールカバー部材２６０は、遮蔽位置にある状態を保持されるようになっている。
【０１１７】
図１６（ａ）は、シールカバー部材２６０が遮蔽位置にあり、突出部材２６４が取り付けられた状態を示した図である。同図に示されるように、シールカバー部材２６０は、遮蔽位置においてＩＣタグ封印シール２１５の全体を遮蔽した状態となる。また、本実施形態では、貼付凸部２１２ｄの下側面と凹部２１３ｊの上側面の間に一定の隙間ができるように構成されているため、遮蔽位置にあるシールカバー部材２６０に取り付けられた突出部材２６４の突出部２６４ｂは、ＩＣタグ封印シール２１５の左側においてこの隙間内に先端部を挿入された状態となる。
【０１１８】
なお、シールカバー部材２６０は、透光性の樹脂から構成されているため、外部からＩＣタグ封印シール２１５表面の表示を視認することができる。また、シールカバー部材２６０およびＩＣタグ封印シール２１５は、主基板収納ケース２１０の上部に取り付けられるため、主基板収納ケース２１０内部の視認性、特に中央部の視認性を阻害しないようになっている。
【０１１９】
図１６（ｂ）は、シールカバー部材２６０の取り外し方法を示した図である。上述のように、シールカバー部材２６０は、上部の係合部２６１が基板収納体２１２の取付レール２１２ｇに係合し、下部の係合部２６１が蓋体２１３の取付レール２１３ｋに係合しているため、シールカバー部材２６０を取り外さない限り、主基板収納ケース２１０を開放できないようになっている。すなわち、シールカバー部材２６０は主基板収納ケース２１０の開放を防止する封印手段としても機能している。
【０１２０】
シールカバー部材２６０の取り外しは、図示を省略した位置決め部の係止を解除した上で、同図に示されるように、取付レール２１２ｇ、２１３ｋに沿ってシールカバー部材２６０を右方向にスライドさせることによって行う。そして、本実施例では、シールカバー部材２６０を取り外すために、遮蔽位置から右方向にスライドさせた場合に、突出部材２６４がＩＣタグ封印シール２１５を破断し、ＩＣタグ封印シール２１５の機能を不能化させるようになっている。
【０１２１】
図１７は、突出部材２６４によるＩＣタグ封印シール２１５の破断を拡大して示した図である。シールカバー部材２６０が右方向に移動すると、これに伴って、突出部材２６４の突出部２６４ｂは、貼付凸部２１２ｄの下側面と凹部２１３ｊの上側面の間の隙間に沿って右方向に移動することとなる。従って、同図に示されるように、突出２６４ｂとＩＣタグ封印シール２１５が干渉し、ＩＣタグ封印シール２１５は破断される。これにより、ＩＣタグ封印シール２１５に内蔵されたアンテナ２１５ｃが切断されるため、ＩＣタグ封印シール２１５とＩＣタグリーダ／ライタの通信が不可能となる。従って、ＩＣタグ封印シール２１５に記憶された情報を外部から読み取ることが不可能となり、ＩＣタグ封印シール２１５の機能が不能化される。
【０１２２】
このように、本実施例では、シールカバー部材２６０を取り外す場合に、ＩＣタグ封印シール２１５の機能が不能化されるようになっている。これにより、主制御基板２１１に対する不正行為を行おうとした場合に、その前段階のシールカバー部材２６０の取り外しにおいてＩＣタグ封印シール２１５の機能が不能化するため、ＩＣタグ封印シール２１５の機能を生かしたまま主制御基板２１１に対する不正行為が行われるのを確実に防止することができる。
【０１２３】
なお、本実施例では、シールカバー部材２６０は、左右方向にスライドするように構成されているが、これに限定されるものではなく、上下方向や斜め方向にスライドするように構成されたものであってもよい。また、シールカバー部材２６０は、曲線的に移動するものや、回転するものであってもよい。また、シールカバー部材２６０は、ＩＣタグ封印シール２１５の一部のみを覆うものであってもよい。
【０１２４】
以上説明したように、上記各実施例に係るスロットマシンは、遊技に関する制御を行う制御基板（上記各実施例では、主制御基板）２１１を収納する基板収納体２１２と、基板収納体２１２に蓋をして制御基板２１１を封印する蓋体２１３と、を備える遊技台の基板収納ケース（上記各実施例では、主基板収納ケース）２１０であって、識別情報が記憶されると共に記憶された識別情報を所定の機器（上記各実施例では、ＩＣタグリーダ／ライタ）により非接触の状態で読み取ることができる読取機能が付加されたシール部材（上記各実施例では、ＩＣタグ封印シール）２１５を貼付するための貼付部（上記各実施例では、貼付凸部２１２ｄおよび貼付凹部２１３ｆまたは凹部２１３ｊ下部表面）と、貼付部に貼付されたシール部材２１５の少なくとも一部を覆うシールカバー部材２５０、２６０と、を備え、シールカバー部材２５０、２６０は、制御基板２１１の封印を解除する封印解除操作に伴ってシール部材２１５の読取機能を不能化させ、識別情報の読み取りを不可とする読取不可機構（実施例１では主に第１遮蔽部２５１および破断部２５３、実施例２では主に突出部２６４ｂ）を備えている。
【０１２５】
このため、シールカバー部材２５０、２６０でＩＣタグ封印シール２１５を覆うことにより、ＩＣタグ封印シール２１５の不正な取り外し、およびＩＣタグリーダ／ライタの接触による破損やメンテナンス時の予期せぬ破損を防止しつつ、封印の解除時には、当該封印解除操作によりＩＣタグ封印シール２１５の読取機能を不能化させ、ＩＣタグ封印シール２１５を生かした状態での不正行為を防止することができる。
【０１２６】
特に、本発明に係るスロットマシンは、積極的にＩＣタグ封印シール２１５を破断するための部材を予め備えているため、従来のように破断するための工具類を別に用意することなく、開封行為や取り外し行為の際、自動的にＩＣタグ封印シール２１５の機能を不能化させることができる。
【０１２７】
また、シール部材２１５に記憶される識別情報は、予め定められた遊技台固有の識別情報である。この遊技台固有の識別情報は、遊技店等が定期的にチェックするものであるため、何らかの不正行為または不正行為の初期行為が行われたことを容易に把握することができる。
【０１２８】
また、上記各実施例のスロットマシンは、基板収納体２１２と蓋体２１３にて制御基板２１１が封印された状態をシールカバー部材２５０、２６０にて保持する保持機構（実施例１では主に第１係止部２５４、第２係止部２５５および係止孔２１２ｅ、２１３ｇ、実施例２では主に係合部２６１および取付レール２１２ｇ、２１３ｋ）をさらに備え、制御基板２１１の封印の解除には、シールカバー部材２５０、２６０による保持の解除が含まれる。
【０１２９】
このように、封印を解除するための一連の動作に封印状態の保持の解除が含まれていることで、主制御基板２１１の封印をさらに強化することが可能となり、主制御基板２１１に対する不正行為をより確実に防止することができる。
【０１３０】
また、実施例１のシールカバー部材２５０は、第１の形状部（実施例１では第１係止部）２５４と、第１の形状部２５４とは異なる位置に形成された第２の形状部（実施例１では、第２係止部）２５５と、を有し、基板収納体２１２は、第１の形状部２５４と係合する第１の係合部（実施例１では、係止孔）２１２ｅを有し、蓋体２１３は、第２の形状部２５５と係合する第２の係合部（実施例１では、係止孔）２１３ｇを有し、保持機構は、第１の形状部２５４と第１の係合部２１２ｅによる係合、および第２の形状部２５５と第２の係合部２１３ｇによる係合により制御基板２１１が封印された状態を保持する。
【０１３１】
このため、簡素な構成により安価にＩＣタグ封印シール２１５を生かした状態での不正行為の防止を実現することができる。
【０１３２】
また、実施例１のシールカバー部材２５０は、シール部材２１５に当接する領域の一部が所定の応力により破断する破断領域（実施例１では、破断部）２５３を有し、読取不可機構は、封印解除操作として基板収納ケース２１０の開封に伴って破断領域２５３が破断し、シールカバー部材２５０の一部（実施例１では、第１遮蔽部）２５１がシール部材２１５の一部を挟んだ状態で基板収納体２１２に係合したまま残置され、シールカバー部材２５０の他の一部（実施例１では、第２遮蔽部）２５２がシール部材２１５の他の一部を挟んだ状態で蓋体２１３に係合したまま残置されることでシール部材２１５を破損させ、読取機能を不能化させる。
【０１３３】
このため、逆方向に働く力によりＩＣタグ封印シール２１５が破損する（伸びる、引き千切られる）こととなり、確実にＩＣタグ封印シール２１５の読取機能を不能化することができる。
【０１３４】
また、実施例２のシールカバー部材２６０は、シール部材２１５側に向けて突出する突出部２６４ｂを備え、読取不可機構は、シールカバー部材２６０が保持機構により制御基板２１１が封印された状態を保持する第１の位置（実施例２では、遮蔽位置）から制御基板２１１が封印された状態を保持しない第２の位置（実施例２では、シールカバー部材２６０が取り外された位置）へ移動する間に、突出部２６４ｂをシール部材２１５に干渉させて読取機能を不能化させる。
【０１３５】
このため、突出部２６４ｂによってＩＣタグ封印シール２１５が切断されることとなり、確実にＩＣタグ封印シール２１５の読取機能を不能化することができる。
【０１３６】
また、シール部材２１５は、所定の機器から発信される電波を少なくとも受信するためのアンテナ部材２１５ｃを含み、読取不可機構は、封印解除操作に伴ってアンテナ部材２１５ｃを破断することにより読取機能を不能化させる。
【０１３７】
このように、アンテナ部材２１５ｃを破断することによって、容易且つ確実にＩＣタグ封印シール２１５の機能を不能化させることができる。
【０１３８】
なお、上記各実施例では、本発明を主制御基板２１１に対して適用した例を示したが、本発明はこれに限定されるものではなく、副制御部４００を構成する副制御基板等の他の制御基板に対して本発明を適用するようにしてもよい。
【０１３９】
また、上記各実施例では、メダル（コイン）を遊技媒体としたスロットマシンの例を示したが、本発明はこれに限定されるものではなく、例えば、遊技球（例えば、パチンコ玉）を遊技媒体としたスロットマシンやパチンコ機などにも適用可能である。
【０１４０】
具体的には、本発明に係る遊技台は、図１８に示す、「所定の遊技領域１００２に遊技球を発射する発射装置１０１０と、発射装置１０１０から発射された遊技球を入球可能に構成された入賞口１００６と、入賞口１００６に入球した遊技球を検知する検知手段１００８と、検知手段１００８が遊技球を検知した場合に遊技球（賞球）を払出す払出手段１０１２と、所定の図柄(識別情報)を変動表示する可変表示装置１００４を備え、入賞口１００６に遊技球が入って入賞することを契機として、可変表示装置１００４が図柄を変動させた後に停止表示させて、遊技状態の推移を告知するようなパチンコ機１０００」にも好適である。
【０１４１】
さらに、本発明をアレンジボール遊技機、じゃん球遊技機、スマートボール、およびカジノマシン等に適用しても、同様の効果を得ることができる。
【０１４２】
なお、本発明に係る遊技台は、上記した実施例に限定されるものではなく、本発明の要旨を逸脱しない範囲内において種々変更を加え得ることは勿論である。また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【０１４３】
本発明は、スロットマシンやパチンコ機等に代表される遊技台の分野で特に利用することができる。
【符号の説明】
【０１４４】
１００  スロットマシン
２１０  主基板収納ケース
２１１  主制御基板
２１２  基板収納体
２１２ｄ  貼付凸部
２１２ｅ  基板収納体の係止孔
２１２ｇ  基板収納体の取付レール
２１３  蓋体
２１３ｇ  蓋体の係止孔
２１３ｋ  蓋体の取付レール
２１３ｆ  貼付凹部
２１３ｊ  凹部
２１５  ＩＣタグ封印シール
２１５ｃ  アンテナ
２５０、２６０  シールカバー部材
２５１  第１遮蔽部
２５２  第２遮蔽部
２５３  破断部
２５４  第１係止部
２５５  第２係止部
２６１  係合部
２６４ｂ突出部
【図１】
2010178891.tif 000003
【図２】
2010178891.tif 000004
【図３】
2010178891.tif 000005
【図４】
2010178891.tif 000006
【図５】
2010178891.tif 000007
【図６】
2010178891.tif 000008
【図７】
2010178891.tif 000009
【図８】
2010178891.tif 000010
【図９】
2010178891.tif 000011
【図１０】
2010178891.tif 000012
【図１１】
2010178891.tif 000013
【図１２】
2010178891.tif 000014
【図１３】
2010178891.tif 000015
【図１４】
2010178891.tif 000016
【図１５】
2010178891.tif 000017
【図１６】
2010178891.tif 000018
【図１７】
2010178891.tif 000019
【図１８】
2010178891.tif 000020
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
遊技に関する制御を行う制御基板を収納する基板収納体と、
前記基板収納体に蓋をして前記制御基板を封印する蓋体と、を備える遊技台の基板収納ケースであって、
識別情報が記憶されると共に前記記憶された識別情報を所定の機器により非接触の状態で読み取ることができる読取機能が付加されたシール部材を貼付するための貼付部と、
前記貼付部に貼付された前記シール部材の少なくとも一部を覆い、前記シール部材に当接する領域の一部が所定の応力により破断する破断領域を有するシールカバー部材と、を備え、
前記シールカバー部材は、前記制御基板の封印を解除する封印解除操作に伴って前記シール部材の前記読取機能を不能化させ、前記識別情報の読み取りを不可とする読取不可機構を備え、
前記読取不可機構は、前記封印解除操作として前記基板収納ケースの開封に伴って前記破断領域が破断し、前記シールカバー部材の一部が前記シール部材の一部を挟んだ状態で前記基板収納体に係合したまま残置され、前記シールカバー部材の他の一部が前記シール部材の他の一部を挟んだ状態で前記蓋体に係合したまま残置されることで当該シール部材を破損させ、前記読取機能を不能化させることを特徴とする、
遊技台の基板収納ケース。
【請求項２】
前記シール部材に記憶される前記識別情報は、予め定められた遊技台固有の識別情報であることを特徴とする、
請求項１に記載の遊技台。
【請求項３】
前記基板収納体と前記蓋体にて前記制御基板が封印された状態を前記シールカバー部材にて保持する保持機構をさらに備え、
前記制御基板の封印の解除には、前記シールカバー部材による保持の解除が含まれることを特徴とする、
請求項１または２に記載の遊技台の基板収納ケース。
【請求項４】
前記シールカバー部材は、第１の形状部と、前記第１の形状部とは異なる位置に形成された第２の形状部と、を有し、
前記基板収納体は、前記第１の形状部と係合する第１の係合部を有し、
前記蓋体は、前記第２の形状部と係合する第２の係合部を有し、
前記保持機構は、前記第１の形状部と前記第１の係合部による係合、および前記第２の形状部と前記第２の係合部による係合により前記制御基板が封印された状態を保持することを特徴とする、
請求項３に記載の遊技台の基板収納ケース。
【請求項５】
前記シール部材は、前記所定の機器から発信される電波を少なくとも受信するためのアンテナ部材を含み、
前記読取不可機構は、前記封印解除操作に伴って前記アンテナ部材を破断することにより前記読取機能を不能化させることを特徴とする、
請求項１乃至４のいずれかに記載の遊技台の基板収納ケース。
【手続補正２】
【補正対象書類名】明細書
【補正対象項目名】０１１０
【補正方法】変更
【補正の内容】
【０１１０】
突出部材２６４は、略平板状の基部２６４ａと、基部２６４ａに突設された棒状の突出部２６４ｂと、突出部２６４ｂの基端から外側に向けて斜めに突設された鈎状の２つの係止部２６４ｃから構成されている。突出部材２６４は、係止孔２６２に表側から挿入され、突出部２６４ｂが裏側に突出した状態でシールカバー部材２６０に係止する。